(57)【特許請求の範囲】
【請求項１】
少なくとも１つの光学的機能を有する眼科用レンズを製造する方法において、
−  所定の屈折率を有する少なくとも１つの材料の複数の所定の体積要素を付着させることによって中間光学素子を付加的に製造するステップであって、前記中間光学素子は、前記複数の体積要素の一部からなり、且つ、少なくとも１つの余分な材料からなる余分な厚さに隣接する対象眼科用レンズを含む、ステップと、
−  前記付加製造ステップ中に前記中間光学素子の少なくとも１つの面に形成された凹凸を除去するように前記少なくとも１つの余分な厚さの少なくとも部分的な除去によって、前記中間光学素子から前記対象眼科用レンズをソフト研磨によって製造するステップと
を含み、前記付加製造ステップは、前記中間光学素子の製造設定値を決定するステップであって、前記ソフト研磨ステップの所定のパラメータ、即ち、遮断空間周波数を表す幾何学的特性及び材料除去能力を表す幾何学的特性によって前記余分な厚さが決定される、ステップを含み、
前記遮断空間周波数を表す幾何学的特性とは、前記中間光学素子から少なくとも部分的に除去できる凹凸を表す幾何学的特性であり、
前記材料除去能力を表す幾何学的特性とは、前記中間光学素子から少なくとも部分的に除去できる厚さを表す幾何学的特性であることを特徴とする、方法。
【請求項２】
前記中間光学素子の前記製造設定値を決定する前記ステップは、少なくとも前記中間光学素子の前記面の決定されたゾーンにおいて、前記凹凸が、前記遮断空間周波数を表す前記幾何学的特性の値によって決定された臨界距離よりも短い距離だけ互いに離れて配置されるように構成されていることを特徴とする、請求項１に記載の方法。
【請求項３】
前記遮断空間周波数を表す前記幾何学的特性は、前記ソフト研磨ステップで用いる研磨瞳孔の直径に対応しており、且つ前記臨界距離は、前記研磨瞳孔の前記直径の１／２以下であることを特徴とする、請求項２に記載の方法。
【請求項４】
前記遮断空間周波数を表す前記幾何学的特性は、前記ソフト研磨ステップで用いる研磨瞳孔の直径に対応しており、且つ前記臨界距離は、前記研磨瞳孔の前記直径の１／４以下であることを特徴とする、請求項３に記載の方法。
【請求項５】
前記遮断空間周波数を表す前記幾何学的特性は、前記ソフト研磨ステップで用いる研磨瞳孔の直径に対応しており、且つ前記臨界距離は、前記研磨瞳孔の前記直径の１／１０以下であることを特徴とする、請求項３又は４に記載の方法。
【請求項６】
前記中間光学素子の前記製造設定値を決定する前記ステップは、前記中間光学素子が、少なくとも１つの材料の前記複数の所定の体積要素を付着させる、層化軸と呼ばれる所定の付加構成軸に対して傾斜するように構成され、
前記少なくとも１つの材料の前記複数の所定の体積要素は、前記層化軸に沿って付着されることを特徴とする、請求項１〜５のいずれか一項に記載の方法。
【請求項７】
前記中間光学素子の前記製造設定値を決定する前記ステップは、前記中間光学素子が、交互に形成された少なくとも２つの第１のセグメント及び少なくとも１つの第２のセグメントを設けた第１のタイプの少なくとも１つの製造ゾーンを、断面において前記中間光学素子の前記面に有するように構成されており、前記第１のセグメントには各々、前記材料の少なくとも１つの所定の体積要素が設けられており、且つ前記少なくとも１つの第２の部分には、前記材料の所定の体積要素が少なくとも部分的に存在せず、それにより、前記第１のタイプの前記製造ゾーンに凹凸が形成されることを特徴とする、請求項１〜６のいずれか一項に記載の方法。
【請求項８】
前記第１のタイプの前記少なくとも１つの製造ゾーンには、材料又は複数の異なる材料の所定の体積要素が設けられることを特徴とする、請求項７に記載の方法。
【請求項９】
前記対象眼科用レンズの表面に垂直な軸の滑りシリンダによって前記第１のタイプの前記少なくとも１つの製造ゾーンが画定され、前記滑りシリンダにおける前記余分な厚さの全体積は実質的に一定のままであることを特徴とする、請求項７又は８に記載の方法。
【請求項１０】
前記滑りシリンダは、前記ソフト研磨ステップで用いる研磨瞳孔の直径と同じであるか、又は前記直径よりも小さい直径を有することを特徴とする、請求項９に記載の方法。
【請求項１１】
前記中間光学素子の前記製造設定値を決定する前記ステップは、前記中間光学素子が、１つ又は複数の材料の複数の所定の体積要素を設けた第２のタイプの少なくとも１つの製造ゾーンを、断面において前記中間光学素子の前記面に有するように構成されており、前記所定の体積要素は異なる研磨性を有することを特徴とする、請求項１〜１０のいずれか一項に記載の方法。
【請求項１２】
前記付加製造ステップは、前記所定の体積要素の複数の重畳層を形成するように構成されており、且つ前記中間光学素子は、前記第１のタイプの少なくとも２つの前記製造ゾーンを有し、前記ゾーンが異なる層で形成されることを特徴とする、請求項７〜１１のいずれか一項に記載の方法。
【請求項１３】
前記付加製造ステップは、前記所定の体積要素の複数の重畳層を形成するように構成されており、且つこのように製造された前記中間光学素子は、前記第１のタイプの少なくとも１つの前記製造ゾーンを有し、前記ゾーンが少なくとも２つの近接重畳層で形成されることを特徴とする、請求項７〜１２のいずれか一項に記載の方法。
【請求項１４】
中間光学素子を製造する付加製造機と、前記中間光学素子から眼科用レンズを製造するソフト研磨機と、請求項１〜１３のいずれか一項に記載の方法の前記各ステップを実施するように構成されている指示を含むコンピュータプログラムを実行するように構成されているシステム要素が設けられた少なくとも１つの命令制御ユニットとを含む、眼科用レンズを製造するシステム。
【請求項１５】
前記ソフト研磨機は、研磨機と、前記研磨機に依存する、前記研磨機の作動運動とを有し、研磨機及び作動運動の対は、所与のソフト研磨瞳孔及び所与の材料除去能力を前記ソフト研磨機に与えることを特徴とする、請求項１４に記載のシステム。
【請求項１６】
前記付加製造機は、三次元印刷機、又はステレオリソグラフィ機、又はマスク投影ステレオリソグラフィ機、又は更に選択的レーザ溶融若しくは焼結機、又は熱可塑性フィラメント押し出し機であることを特徴とする、請求項１４又は１５に記載のシステム。
【請求項１７】
前記付加製造機は、着脱可能であり、且つ前記ソフト研磨機用の製造ホルダーとして役立つように構成されている製造ホルダーを含むことを特徴とする、請求項１４〜１６のいずれか一項に記載の製造システム。
【請求項１８】
前記付加製造ステップは、前記所定の体積要素の複数の重畳層を形成するように構成されており、且つ前記中間光学素子は、前記第２のタイプの少なくとも２つの前記製造ゾーンを有し、前記ゾーンが異なる層で形成されることを特徴とする、請求項１１に記載の方法。
【請求項１９】
前記付加製造ステップは、前記所定の体積要素の複数の重畳層を形成するように構成されており、且つこのように製造された前記中間光学素子は、前記第２のタイプの少なくとも１つの前記製造ゾーンを有し、前記ゾーンが少なくとも２つの近接重畳層で形成されることを特徴とする、請求項１１に記載の方法。
【発明の詳細な説明】
【技術分野】
【０００１】
本発明は、少なくとも１つの光学的機能を有する眼科用レンズ、例えば、累進多焦点眼科用レンズの製造分野に関する。
【０００２】
本発明は、より詳細には、このような眼科用レンズを製造する方法に関する。
【０００３】
本発明は、このような眼科用レンズを製造するように構成されている製造システムにも関する。
【背景技術】
【０００４】
規定の眼科用特性（「光学的機能」とも呼ばれる）を眼科用レンズに与えるために、眼科用レンズは様々な製造ステップにかけられることが知られている。
【０００５】
未処理又は半仕上げレンズブランク、即ち、仕上げと呼ばれる面（又は換言すれば、単純又は複雑な光学面を画定する面）がない、又はこの面を１つのみ有するレンズブランクを供給するステップを含む眼科用レンズを製造する方法が知られている。
【０００６】
次に、これらの方法は、眼科用レンズの着用者に処方される（場合により複雑な）眼科用特性を与える所望の光学面を画定する仕上げ面と呼ばれるものを得るために、未処理レンズブランクと呼ばれる少なくとも１つの面で機械加工する１つ又は複数のステップを含む。
【０００７】
ここで、用語「機械加工する１つ又は複数のステップ」は、荒削り、仕上げ及び研磨（表面仕上げによる機械加工）と呼ばれるステップを意味するものとする。
【０００８】
眼科用レンズの光学的機能は、眼科用レンズの表面及び裏面に対応する２つのジオプターによって主に与えられる。生成されるべき面のトポグラフィは、レンズの表面と裏面との間に与えられた機能の分布に左右される。
【０００９】
未処理又は半仕上げレンズブランクから始まる荒削りステップは、未仕上げと呼ばれるレンズブランクの面に、その厚さ及び曲率の面半径を与えることができるのに対して、仕上げ（平滑化とも呼ばれる）ステップは、事前に得られた面の曲率半径の精度又は粒子を細かくすることであり、生成された曲面を研磨ステップのために準備（平滑化）することができる。この研磨ステップは、荒削りされた又は平滑化された曲面を表面仕上げするステップであり、眼科用レンズを透明にすることができる。荒削り及び仕上げステップは、初期の物体の厚さ及び初期の曲率半径とは無関係に、処理面の曲率半径及び最終レンズの厚さを設定するステップである。
【００１０】
「自由形状表面仕上げ」又は「デジタル表面仕上げ」と呼ばれる複雑な光学面を製造する１つの技術は、特に正確な機械加工、例えば、トーラス及びプログレッションを組み合わせた面を含むことに留意されたい。少なくとも荒削りステップ用の、更に仕上げ及び研磨ステップ用の少なくとも１つの超高精度機械ツール、及び／又は眼科用レンズを変形させることなく前のステップで得られた面を研磨できる研磨機を用いて、このような複雑な光学面の機械加工を行う。
【００１１】
より正確には、ここで、「荒削りステップ」が意味する内容は、対象眼科用レンズの曲率半径及び厚さ、又は略対象眼科用レンズの曲率半径及び厚さを中間光学素子に与えるために、例えば、カッター又はダイヤモンド含浸ツールによって、中間光学素子を機械加工するステップであり、「仕上げステップ」が意味する内容は、研磨ステップのために準備するために、例えば、ダイヤモンド含浸ツール、又は研磨面を有するツールによって、粒子を細かくする、及び／又は中間光学素子の面の曲率半径を細かくするステップである。従って、荒削り及び仕上げステップは、初期面の曲率及び形状とは無関係に、処理面の形状及び曲率を設定するステップである。
【００１２】
更に、ここで、「研磨ステップ」が意味する内容は、荒削り及び／又は仕上げによって返された面又は複数の面から跡を除去することによって、対象眼科用レンズの透明性を中間光学素子に与えるステップである。ソフト研磨機及び微粒子研磨液（仕上げステップで実施できる粒子よりも微細な粒子）によって、この研磨ステップが特に実施される。このステップは一般的に、ソフト研磨ステップと呼ばれる。このソフト研磨ステップの間、（球又はトーリック、又は擬球又は擬トーリックの）主な補正（基礎曲率、及び／又は「近見」ゾーンと呼ばれるものに付与できる付加の曲率と呼ばれる）の曲率は、ソフト研磨ステップの影響をあまり受けない。
【００１３】
このソフト研磨ステップは、ハード球又はトーリック研磨機、及び仕上げステップ中に使用される研磨液の粒子よりも微細な粒子を含有する研磨液を使用する、ハード研磨ステップと一般的に呼ばれる別の可能な機械加工ステップと異なることに留意されたい。このハード研磨機は、この面の研磨及び回転によって処理されるべき面に作用し、ハード研磨機の曲率に相補的な球又はトーリック曲率をその面に与える。換言すれば、ハード研磨によって処理される面の曲率の形状は、ハード研磨機の面の曲率の形状のミラー像である。ハード研磨のこのステップは、上述の仕上げステップの変形形態である。
【発明の概要】
【発明が解決しようとする課題】
【００１４】
本発明の目的は、実施するのが特に簡単、実用的及び経済的であり、量販市場の個人化要件を満たす、非常に様々な形状及び材料特性を有するレンズを迅速且つ柔軟に与えることもできる、少なくとも１つの光学的機能を有する眼科用レンズを製造する方法を提供することである。
【課題を解決するための手段】
【００１５】
従って、第１の態様による本発明の主題は、少なくとも１つの光学的機能を有する眼科用レンズを製造する方法において、
−  所定の屈折率を有する少なくとも１つの材料の複数の所定の体積要素を付着させることによって中間光学素子を付加的に製造するステップであって、前記中間光学素子は、前記複数の体積要素の一部からなる少なくとも１つの余分な厚さに隣接する対象眼科用レンズを含む、ステップと、
−  前記付加製造ステップ中に前記中間光学素子の少なくとも１つの面に形成された凹凸を除去するように前記少なくとも１つの余分な厚さの少なくとも部分的な除去によって、前記中間光学素子から前記対象眼科用レンズをソフト研磨によって製造するステップと
を含み、前記付加製造ステップは、前記中間光学素子の製造設定値を決定するステップであって、前記ソフト研磨ステップの所定のパラメータ、即ち、遮断空間周波数を表す幾何学的特性及び材料除去能力を表す幾何学的特性によって余分な厚さが決定される、ステップを含むことを特徴とする、方法である。
【００１６】
本発明による製造方法は、２つの製造ステップ、即ち、付加製造ステップ及びソフト研磨ステップの組み合わせに基づいており、ソフト研磨ステップに応じた付加製造ステップの実装形態では、ソフト研磨ステップの後、所望の処方及び眼科用又は光学的品質を有する眼科用レンズを得るために、付加製造ステップの製造設定値の決定においてソフト研磨ステップを考慮する。
【００１７】
換言すれば、これらの２つの製造ステップの組み合わせは、着用者の要求に完全に合う適正な光学的機能、及び眼科用途に適合する表面仕上げ品質の両方を有する眼科用レンズを有利に得ることができるハイブリッド方法と呼ばれるものを形成する。
【００１８】
付加製造ステップにより、所望の体積均一性を有し、着用者に合わせられた光学的機能の少なくとも一部が与えられた中間光学素子を得ることができ、付加製造ステップの後に実施されるソフト研磨ステップにより、所望の光学的機能を仕上げることができ、中間光学素子から、眼科用途に適合する粗さパラメータによって特徴づけることができる表面仕上げ品質を有し、眼科用途に適合する透明性、光透過性及び光散乱性を有する眼科用レンズを得ることができることに留意されたい。
【００１９】
「適正な光学的機能」が意味する内容は、既定の光学的補正を着用者に与えることができる、着用者に合わせられた補正光学的機能に対して、眼科用レンズのあらゆる点で±０．１２ジオプター以下の誤差の範囲を有する光学的機能である。
【００２０】
「眼科用途に適合する表面品質」（又は「眼科用又は光学的品質」）が意味する内容は、約２％未満、好ましくは約１％未満、更に好ましくは約０．４％未満の眼科用レンズの光散乱係数を保証することができる表面品質である。
【００２１】
付加製造技法は、本発明の目的を達成する特に適切な方法である。
【００２２】
用語「付加製造」は、従来のマッチングなどの除去製造方法に対して、通常１層ごとに三次元モデリングデータ（典型的に、コンピュータ支援設計（以下、ＣＡＤ）ファイル）から物体を製造するために、単一体積の材料を溶融する方法を実施する製造技法（国際標準規格ＡＳＴＭ  ２７９２−１２に準拠）を意味するものとする。
【００２３】
ここで、付加製造は、例えば、重合体のインクジェット印刷を含む三次元印刷方法、又はステレオリソグラフィ方法、又はマスク投影ステレオリソグラフィ方法、又は選択的レーザ溶融（以下、ＳＬＭ）又は選択的レーザ焼結（以下、ＳＬＳ）方法、又は更に熱可塑性フィラメント押し出し方法に対応する。
【００２４】
付加製造技術は、ＣＡＤファイルにデジタル形式で含まれる所定の構成に従って、材料の要素を並置及び重畳することによって、物体を製造することである。付加的に製造された体積要素の構成材料は、付加製造方法の最後で基本的に固体であるのが通常であるが、固体、液体、又はゲルの形態をとってもよい。
【００２５】
「ボクセル」で示すこれらの基本的な体積要素は、例えば、単量体の浴槽の面の近くで紫外線光源を用いて選択的に光重合させることによって、又は重合体粉末（ＳＬＭ）を溶融させることによって、少なくとも１つの印刷ヘッドを用いて光重合可能単量体の滴を付着させることによって、様々な異なる技術原理に従って、生成、並置及び重畳してもよい。
【００２６】
付加製造技法では、物体の形状定義において非常に高い自由度を可能するが、付加的に製造された物体、ここでは中間光学素子の面の製造欠陥が生成される。
【００２７】
非ゼロ限界最小サイズを有する材料の様々な並置及び／又は重畳個別要素を用いた製造であるため、これらの製造欠陥は、所望の体積の面上に一般的に生成される凹凸を形成する。材料の体積要素の少なくとも一部が所望の体積の面から突出する場合、又は体積セグメントが所望の体積から無くなっている場合、これらの凹凸が形成される。これらの凹凸は、いわゆる高い材料の少なくとも１つの要素といわゆる低い材料の少なくとも１つの要素との間の高さの差を示す。
【００２８】
例えば、スライスを形成する材料の複数の要素の層状重畳による付加製造の場合、下層が、所与の軸に沿って真上の上層よりも更に延びる場合に、下層と真上の上層の端部との間の境界面に段を配置する。これらの段は、２つの層によって形成される体積の平均高さに対して最も突出し、上層の少なくとも端部によって形成される凸部と呼ばれる高点と、上層及び下層の連結部で形成され、２つの層によって形成される体積の平均高さに対して材料が無いことを表す凹部又は窪みと呼ばれる低点とによって画定される。
【００２９】
本発明に関連して、このような段によって（又は多層製造を厳密には使用せずに付加製造技術に対する同等の欠陥によって）、ひいては、その凸部（高点）とその凹部（低点）との間に見つかる材料によって、凹凸（付加製造の「欠陥」を表す）が形成されるものとする。当然のことながら、凹凸は、中間光学素子の構造上の戦略に左右される厚さを有することに留意されたい。
【００３０】
凹凸の代わりに、ｎ番目の層と呼ばれる層からｎ−１番目の層と呼ばれる真下の別の層への通路を表す、層飛び、更に層前部に言及することもできる。層飛びは、ｎ番目の層の高さと必ずしも同じ又は略同じではないが、この高さ未満であることもある高さ変動を例示することに留意されたい。
【００３１】
従って、本発明による方法の付加製造ステップにより、中間光学素子を得ることができ、この素子は、対象レンズと呼ばれる眼科用レンズを含み、ソフト研磨ステップを実施するのに使用される研磨方法の材料削除（又は除去）能力を考慮する一方、研磨方法の遮断空間周波数を表す幾何学的特性を他方で有利に考慮しながら画定される余分な厚さを、中間光学素子の「将来的な」外面の全部又は一部に含む。
【００３２】
ソフト研磨ステップの特徴的な材料除去能力及び遮断空間周波数に基づいて、中間光学素子の製造設定値を決定するステップは、余分な厚さに対して想定可能な最大厚さ、及びソフト研磨機を設けた製造システムの除去能力を考慮することができる。換言すれば、この決定ステップは、中間光学素子から少なくとも部分的に除去できる厚さと凹凸との両方を考慮し、ここで、材料除去能力は、例えば、［１μｍ；１５０μｍ］の範囲の所定の値に含まれる厚さの特徴であるものとする。
【００３３】
ここで、研磨方法の材料除去能力は、研磨面の曲率を大幅に変更する研磨ツール（研磨機）無しで研磨して除去できる材料の厚さとして画定される。材料除去能力は、研磨される材料、研磨される中間光学素子に対する研磨機の作動運動、及び研磨機の構造に左右される。
【００３４】
ここで、空間波長空間で通過帯域フィルターのように中間光学素子に作用するように構成されているソフト研磨機を設けた研磨機を用いてソフト研磨ステップを実施するため、ソフト研磨遮断空間周波数及びソフト研磨遮断空間波長に言及することができ、遮断空間波長は、この研磨機の特性及び研磨機の動作パラメータ、換言すれば、研磨機の作動運動で決定される。
【００３５】
研磨機のこのような作動運動と組み合わせたこのような研磨機は、所与のソフト研磨瞳孔をソフト研磨機に与える対を形成することにも留意されたい。作動運動は、研磨機、研磨面、面の凹又は凸文字及び直径、曲率の範囲などに依存しており、研磨方法パラメータ、例えば、回転速度、圧力、研磨されるべき素子及び研磨機の相対運動などのうちの少なくとも１つを含む。方法パラメータは一般的に、所与の研磨機が使用するあらゆる研磨機／運動の対に対して研磨瞳孔が実質的に一定であるように構成されている。
【００３６】
「研磨瞳孔」が意味する内容は、所与の研磨方法を実施した後に得られる点欠陥の最大拡大直径に対応する直径を有するディスクである。
【００３７】
換言すれば、拡大直径は、ゾーンの直径であり、点欠陥が存在しない場合に同じ研磨後に得られている形状（曲率）に対して、欠陥の初期の存在のために、ゾーンの形状（曲率）を研磨後に変更する。
【００３８】
ここで、研磨瞳孔は、研磨後の段の拡大の特徴である。この段が研磨ステップ中にレンズの回転中心を通過する場合を考えると、拡大を、段に対して垂直に、レンズの回転中心で測定してもよい。
【００３９】
本発明による製造方法によって、所定のソフト研磨瞳孔を用いて実施されるソフト研磨ステップによってこれらの凹凸を少なくとも部分的に除去できる最適位置を有する凹凸を保証するために、この中間光学素子の付加製造設定値の決定において、中間光学素子の面で生成され、余分な厚さの一部を形成する付加製造欠陥を考慮する。換言すれば、中間光学素子の付加製造設定値を決定するステップは、必要な光学的機能及び表面仕上げ品質を有する眼科用レンズを得る目的で、ソフト研磨ステップにおける研磨瞳孔によって、付加製造で生成された凹凸を除去するように構成されている。
【００４０】
本発明による製造方法は、迅速且つ柔軟な製造方法を必要とする、特に光学的機能の個人化の理由で、とりわけ様々な光学的機能を生成すべきである場合、特に簡単、容易及び経済的である。
【００４１】
レンズ又は中間光学素子に適用される場合、用語「光学的機能」は、このレンズ又はこの素子の光学的応答、即ち、入射光ビームのいなかる入射でも、及び入射光ビームによって照明される入射ジオプターのいかなる幾何学的範囲でも、対象のレンズ又は光学素子を通る光ビームの伝搬及び伝送の任意の変更を定義する機能を意味するものとすることにも留意されたい。
【００４２】
より正確には、眼科用分野では、着用者倍率及び非点収差特性の分布、及びこのレンズ又はこの素子の着用者の注視の全方向に対してレンズ又は光学素子に対応づけられた高次収差及びプリズム偏差の分布として、光学的機能を定義してもよい。当然のことながら、これは、着用者の目に対するレンズ又は光学素子の幾何学的位置が既知であると仮定する。
【００４３】
本発明による方法の好ましい簡単、実用的及び経済的な特徴によれば、
−  前記中間光学素子の前記製造設定値を決定する前記ステップは、少なくとも中間光学素子の面の決定されたゾーンにおいて、前記凹凸が、遮断空間周波数を表す前記幾何学的特性の値によって決定された臨界距離よりも短い距離だけ互いに離れて配置されるように構成されており、及び／又は
−  前記遮断空間周波数を表す前記幾何学的特性は、前記ソフト研磨ステップの特徴的な研磨瞳孔の直径に対応しており、且つ臨界距離は、前記研磨瞳孔の直径の１／２、好ましくは１／４、更に１／１０以下である。
【００４４】
各凹凸が決定された臨界距離よりも短い距離だけ別の凹凸から離れているという事実は、例えば、１つの前記凹凸から、又は凹凸若しくは更に層飛びに沿って位置決めされたボクセルに対応する点から始まる少なくとも３つの方向において、決定された臨界距離と等しい長さのそれぞれのゾーンに位置する別のそれぞれの凹凸又は別の層飛びがあることを意味する。
【００４５】
換言すれば、別の凹凸が各々見つかる決定された凹凸から（又はこの凹凸に沿って位置決めされたボクセルに対応する点から）始まる、決定された臨界距離と等しい各長さを少なくとも３つの区域で画定することができる。
【００４６】
決定された凹凸から生じる半軸によって少なくとも３つの方向を各々表してもよく、これらの半軸を１つ又は複数の決定されたシフトだけ互いに角度シフトすることに留意されたい。２つの半軸間のシフトは、過度な鈍角の特徴であるべきでなく、例えば、約１６０°未満であることが好ましい。換言すれば、所与の各半軸に対して、時計回り方向に１６０°未満の角度をなす少なくとも一方の別の半軸、及び所与の半軸から始まる反時計回り方向に１６０°未満の角度をなす少なくとも他方の別の半軸がある。
【００４７】
付加製造を改良した、本発明による方法の１つの有利な実施形態によれば、前記中間光学素子の前記製造設定値を決定する前記ステップは、前記中間光学素子が、所定の付加構成軸であって、それに沿って少なくとも１つの材料の前記複数の所定の体積要素を付着させる、層化軸と呼ばれる所定の付加構成軸に対して傾斜するように構成されている。
【００４８】
換言すれば、これは、最終眼科用レンズの光軸を、例えば、［２０°；８０°］の範囲、更に［３０°；７０°］の範囲に含まれる角度で層化軸に対して傾斜させることを意味する。
【００４９】
付加製造を更に改良した、本発明による方法の別の有利な実施形態によれば、前記中間光学素子の前記製造設定値を決定する前記ステップは、中間光学素子が、交互に形成された少なくとも２つの第１のセグメント及び少なくとも１つの第２のセグメントを設けた第１のタイプの少なくとも１つの製造ゾーンを、断面においてその面に有するように構成されており、前記第１のセグメントには各々、前記材料の少なくとも１つの所定の体積要素が設けられており、且つ前記少なくとも１つの第２の部分には、前記材料の所定の体積要素が少なくとも部分的に存在せず、それにより、第１のタイプのこの製造ゾーンに凹凸が形成される。
【００５０】
これは、例えば、各方向において、決定された長さのそれぞれのゾーンに位置する別のそれぞれの第１のセグメント及び第２のセグメントの両方が存在するように、１つの前記決定された第１のセグメントから始まる少なくとも３つの方向があることを意味する。
【００５１】
２つの第１のセグメントを隔てる距離は、決定された臨界距離の大きさのオーダーであることが好ましい。
【００５２】
前記決定された第１のセグメントの凹凸から生じる半軸によって少なくとも３つの方向を各々表してもよく、半軸を１つ又は複数の決定されたシフトだけ互いに角度シフトすることに留意されたい。２つの半軸間のシフトは、過度な鈍角の特徴であるべきでなく、例えば、約１６０°未満であることが好ましい。換言すれば、各半軸に対して、時計回り方向に１６０°未満の角度をなす少なくとも一方の別の半軸、及び反時計回り方向に１６０°未満の角度をなす少なくとも他方の別の半軸がある。
【００５３】
本発明による方法の別の好ましい簡単、実用的及び経済的な特徴によれば、
−  第１のタイプの前記少なくとも１つの製造ゾーンには、材料又は複数の異なる材料の所定の体積要素が設けられ、
−  対象眼科用レンズの表面に垂直な軸の滑りシリンダによって第１のタイプの前記少なくとも１つの製造ゾーンが画定され、この滑りシリンダにおける余分な厚さの全体積は実質的に一定のままであり、及び／又は
−  前記滑りシリンダは、前記ソフト研磨ステップの特徴的な研磨瞳孔の直径と同様であるか、又はこの直径よりも小さい直径を有する。
【００５４】
付加製造を更に改良した、本発明による方法の更に別の有利な実施形態によれば、前記中間光学素子の前記製造設定値を決定する前記ステップは、前記中間光学素子が、１つ又は複数の材料の複数の所定の体積要素を設けた第２のタイプの少なくとも１つの製造ゾーンを、断面においてその面に有するように構成されており、前記所定の体積要素は異なる研磨性を有する。
【００５５】
本発明による方法の更に別の好ましい簡単、実用的及び経済的な特徴によれば、
−  前記付加製造ステップは、前記所定の体積要素の複数の重畳層を形成するように構成されており、且つこのように製造された前記中間光学素子は、第１のタイプ及び／又は第２のタイプの少なくとも２つの前記製造ゾーンを有し、ゾーンが異なる層で形成され、及び／又は
−  前記付加製造ステップは、前記所定の体積要素の複数の重畳層を形成するように構成されており、且つこのように製造された前記中間光学素子は、第１のタイプ及び／又は第２のタイプの少なくとも１つの前記製造ゾーンを有し、ゾーンが少なくとも２つの近接重畳層で形成される。
【００５６】
第２の態様による本発明の別の主題は、中間光学素子を製造する付加製造機と、前記中間光学素子から眼科用レンズを製造するソフト研磨機と、上述のような方法の各ステップを実施するように構成されている指示を含むコンピュータプログラムを実行するように構成されているシステム要素が設けられた少なくとも１つの命令制御ユニットとを含む、眼科用レンズを製造するシステムである。
【００５７】
本発明によるシステムの好ましい簡単、実用的及び経済的な特徴によれば、
−  前記ソフト研磨機は、研磨機と、前記研磨機に依存する、前記研磨機の作動運動とを有し、研磨機及び作動運動の対は、所与のソフト研磨瞳孔及び所与の材料除去能力を前記ソフト研磨機に与え、
−  前記付加製造機は、三次元印刷機、又はステレオリソグラフィ機、又はマスク投影ステレオリソグラフィ機、又は更に選択的レーザ溶融若しくは焼結機、又は熱可塑性フィラメント押し出し機であり、及び／又は
−  前記付加製造機は、着脱可能であり、且つソフト研磨機用の製造ホルダーとして役立つように構成されている製造ホルダーを含む。
【００５８】
本発明の主題は、添付図面を参照して、限定されない例示のために後で与えられる本発明の一実施形態の説明のためにここで明らかにされるであろう。
【図面の簡単な説明】
【００５９】
【図１】眼科用レンズを生成するように構成されている付加製造機及びソフト研磨機を設けた製造システムを概略的に示す。
【図２】図１に例示されたシステムの付加製造機を用いて付加的に製造された中間光学素子、及び図１に例示されたシステムのソフト研磨機を用いて中間光学素子からソフト研磨によって製造された眼科用レンズを概略的に示す。
【図３】眼科用レンズを製造する方法の様々な動作ステップを例示するフローチャートである。
【図４】中間光学素子の付加製造設定値を決定するステップを示すフローチャートである。
【図５】図１に例示されたシステムのソフト研磨機において図２の中間光学素子を部分的及び概略的に示す。
【図６】図２の中間光学素子上の図１に例示されたシステムのソフト研磨機ツールの動作を概略的に示す。
【図７】第１の改良付加製造戦略にそれぞれ関連した、本発明に従った方法の変型実装形態による図２における中間光学素子を部分的及び概略的に示す。
【図８】第２の改良付加製造戦略にそれぞれ関連した、本発明に従った方法の変型実装形態による図２における中間光学素子を部分的及び概略的に示す。
【図９】図９Ａ−９Ｂは、第２の改良付加製造戦略の変型実施形態を例示する。
【図１０】図１０Ａ−１０Ｂは、第２の改良付加製造戦略の変型実施形態を例示する。
【図１１】図１１Ａ−１１Ｃは、第２の改良付加製造戦略の変型実施形態を例示する。
【図１２】第３の改良付加製造戦略に関連した、本発明に従った方法の別の変型実装形態による図２の中間光学素子を部分的及び概略的に示す。
【発明を実施するための形態】
【００６０】
図１は、付加製造機１（ここではデジタル制御三次元印刷機）、及びデジタル制御されるソフト研磨機２１を含む、眼科用レンズ３０を製造するシステムを例示する。
【００６１】
用語「デジタル制御」は、付加製造機１及びソフト研磨機２１の全ての部材に移動指示を与える機能を特に有する全てのハードウェア及びソフトウェアを示す。
【００６２】
ここで、付加製造機１は、中間光学素子１０を形成するように製造ホルダー１２の上に少なくとも１つの材料の重畳層、換言すれば、多層を形成する複数の所定の体積要素を並んで付着させるように構成されている。
【００６３】
この中間光学素子１０は、眼科用レンズ３０を形成するように構成されている。
【００６４】
この眼科用レンズ３０は、例えば、累進多焦点レンズであり、トーリック及びプリズム部品を更に有する。
【００６５】
所定の体積要素の各々は、時点ｔにおいて所定の組成、所定の空間位置及び所定の寸法によって画定される。
【００６６】
ここで、付加製造、特に三次元印刷の問題として、ボクセル（三次元ピクセル）とも呼ばれる体積測定要素又は体積要素にも言及する。
【００６７】
従って、この中間光学素子１０を製造ホルダー１２によって支持する。
【００６８】
この製造ホルダー１２は付加製造機１の所定のホルダーであり、従って、その幾何学的特性は既知であり、付加製造機１の第１の命令制御ユニット２に記憶又はロードされるファイルに収容されることに留意されたい。
【００６９】
付加製造機１の製造ホルダー１２は、付加製造によって生成されるべき中間光学素子の少なくとも１つの面の形状から完全に又は部分的に独立している全体形状を有する製造面を設けた本体を含む。
【００７０】
製造ホルダー１２は、着脱可能であってもよく、付加製造機１に加えて使用されるソフト研磨機２１で使用できるように構成されていてもよい。
【００７１】
付加製造機１の全てのハードウェア及びソフトウェアは、この製造機１が含む材料及び重合装置の移動、操作及び制御指示を生成するように更に構成されている。
【００７２】
付加製造機１は、第１の命令制御ユニット２に加えてノズル又はノズル１３の群を含み、第１の命令制御ユニット２には、メモリ４、特に不揮発性メモリを搭載したマイクロプロセッサ３を含むデータ処理システムが設けられており、マイクロプロセッサ３は、ソフトウェアパッケージ、換言すれば、コンピュータプログラムをロード及び記憶することができ、そのコンピュータプログラムをマイクロプロセッサ３で実行する場合、付加製造方法を実施することができる。この不揮発性メモリ４は、例えば、読み出し専用メモリ（ＲＯＭ）である。
【００７３】
第１のユニット２は、ソフトウェアパッケージを実行して付加製造方法を実施している間、データを記憶できるメモリ５、特に揮発性メモリを更に含む。
【００７４】
この揮発性メモリ５は、例えば、ランダムアクセスメモリ（ＲＡＭ）又は電気的消去可能プログラマブル読み出し専用メモリ（ＥＥＰＲＯＭ）である。
【００７５】
付加製造機１は、付加製造機１の製造ホルダー１２の上にこの製造機１によって付加的に製造される中間光学素子１０にアクセスできるように構成されている、窓で塞いだ開口６を更に含み、この開口は任意選択的にこの製造機内にある。
【００７６】
中間光学素子１０を付加的に製造するために、ある特定の付加製造パラメータ、例えば、ノズル又は複数のノズル１３の進行速度、及び使用されるエネルギー及びエネルギー源の種類を正確に知る必要があることに留意されたい。ここで、紫外線で放出する源は、三次元印刷機で使用されるが、ステレオリソグラフィ機の場合、レーザであってもよく、又は熱可塑性フィラメント押し出しとも呼ばれる張力フィラメント付着の場合と同様に、熱エネルギーを使用してもよい。
【００７７】
どのような１つ又は複数の材料を使用しているか、及びこれらの材料の状態、ここでは、これらの材料が重合可能組成物の形態、又は熱可塑性重合体フィラメント、液滴又は粉末の形態をとるかを正確に知る必要もある。
【００７８】
眼科用レンズ３０に処方される単純又は複雑な光学的機能を正確に知る必要もあり、光学的機能は、眼科用レンズ３０の単純又は複雑な光学的特性に特有の製造ファイルで定義される形状によって特徴づけられる。
【００７９】
変形形態によれば、眼科用レンズの光学的機能をその最終使用条件に調整するために、着用者の個人化パラメータ、及び／又は眼科用レンズ３０を収容するためのフレームの形状のパラメータを知る必要もある。
【００８０】
単純な光学的機能を球面又はトーリック面で得られる光学的機能として定義し得ることに留意されたい。
【００８１】
反対に、複雑な光学的機能を、単純でない少なくとも１つの面、即ち、例えば非球面又は非トーリック面、又はフレーミングに対応づけられた機能又は自由曲線機能を更に有する表面で得られる光学的機能として定義することができる。
【００８２】
更に、追加の光学的機能を、眼鏡上の位置に応じて及び／又は時間に応じて、着用者が認識するように、場合により連続的な倍率の変動を示す光学的機能として定義することができる。これは、例えば、累進多焦点光学的機能、又は二焦点若しくは三焦点機能などの多焦点光学的機能、又は倍率を時間と共に制御する光学的機能、例えば、流体レンズ、又は能動機能を有するレンズ、又は情報レンズの場合であってもよい。
【００８３】
光学的機能を知ると、ある特定の個人化パラメータ及び／又はフレームパラメータ、及び最終レンズを形成するのに使用される１つ又は複数の材料の光学指数により、眼科用レンズ３０に必要な幾何学的エンベロープ（三次元外部エンベロープとも呼ばれる）を定義することができる。この必要な幾何学的エンベロープは、眼科用レンズ３０の幾何学的特性を定義する。この三次元外部エンベロープは、眼科用レンズと、眼科用レンズ３０の少なくとも１つの面の全部又は一部に隣接されている１つ又は複数の余分な厚さＳｅの幾何学的エンベロープを含む。
【００８４】
レンズ又は光学素子の「光学的機能」が意味する内容は、このレンズ又はこの光学素子の光学的応答、即ち、入射光ビームのいかなる入射でも、及び入射光ビームによって照明される入射ジオプターのいかなる幾何学的範囲でも、対象のレンズ又は光学素子を通る光ビームの伝搬及び伝送の任意の変更を定義する機能であることが想起されよう。
【００８５】
より正確には、眼科用分野では、着用者倍率及び非点収差特性の分布、及びこのレンズ又はこの光学素子の着用者の注視の全方向に対してレンズ又は光学素子に対応づけられた高次収差及びプリズム偏差の分布として、光学的機能を定義する。当然のことながら、これは、着用者の目に対するレンズ又は光学素子の幾何学的位置が既知であると仮定する。
【００８６】
着用者倍率は、レンズメータの倍率と異なる眼科用レンズの倍率を計算して調整する方法であることにも留意されたい。着用者倍率の計算により、レンズがフレームに嵌められて着用者によって着用されると、着用者が認識する倍率（即ち、目に入る光ビームの倍率）は、既定の倍率に確実に一致する。一般的に、累進多焦点眼鏡の場合、眼鏡上の任意の点、特にその遠方視力及び近方視力の参照点において、レンズメータを用いて測定された倍率は、着用者倍率と異なる。しかし、単焦点レンズの光学的中心における着用者倍率は一般的に、この点に位置決めされたレンズメータを用いて観測された倍率に近い。
【００８７】
ここで、ソフト研磨機２１は、対象眼科用レンズ３０を形成するために、付加的に製造される中間光学素子１０の少なくとも全部又は一部を研磨によって機械加工するように構成されている。中間光学素子１０は、支持され、研磨機２１の製造ホルダー３２上の作業位置に保持される。この作業位置は、予め定められていてもよく、又はより一般的には、研磨機２１の研磨ツールが続く経路に対して中間光学素子を幾何学的に中心合わせすることができる位置に対応していてもよい。
【００８８】
この製造ホルダー３２は研磨機２１の所定のホルダーであり、従って、その幾何学的特性及び研磨機内の位置は、既知であり、除去製造機２１の第２の命令制御ユニット２２に記憶又はロードされるファイルに収容されることに留意されたい。
【００８９】
製造ホルダー１２及び３２は同一のホルダーであってもよく、及び／又は本発明に関連して記載されるような付加製造によって製造ホルダー３２を有利に生成してもよいことに留意されたい。
【００９０】
従って、研磨機２１は、中間光学素子が累進多焦点眼鏡の面を有し、トーリック及びプリズム部品を更に任意選択的に有する場合を含む、中間光学素子１０の面の全部又は一部をソフト研磨するように構成されている。
【００９１】
ソフト研磨機２１は、付加製造ステップの最後に得られる中間光学素子の面上に存在する凹凸を研磨して平滑化するために、研磨ツール３３を支持するスピンドル、例えば、所定の直径を有する研磨機を含む。ソフト研磨機２１は、付加製造機１の第１のユニット２と同様の第２の命令制御ユニット２２も含む。
【００９２】
研磨機２１の研磨ツールが続く経路は、研磨機の作動運動によって画定され、その運動は更に、研磨機と、研磨ステップで研磨される中間光学素子とに加えられる圧力に対応する。
【００９３】
研磨機及び研磨機の作動運動が形成する対により、ソフト研磨ステップの特徴的な研磨瞳孔を画定することができる（下記参照）。
【００９４】
従って、この第２のユニット２２には、メモリ２４、特に不揮発性メモリを搭載したマイクロプロセッサ２３を含むデータ処理システムが設けられており、マイクロプロセッサ２３は、ソフトウェアパッケージ、換言すれば、コンピュータプログラムをロード及び記憶することができ、そのコンピュータプログラムをマイクロプロセッサ２３で実行する場合、除去製造方法、ここでより詳細には、仕上げステップ及び研磨ステップからの一連の少なくとも１つの機械加工ステップを実施することができる。この不揮発性メモリ２４は、例えば、読み出し専用メモリ（ＲＯＭ）である。
【００９５】
付加製造機２１の全てのハードウェア及びソフトウェアは、この製造機が含む全ての部材、特にそのスピンドル３３に移動及び操作指示を与えるように更に構成されている。
【００９６】
第２のユニット２２は、ソフトウェアパッケージを実行してソフト研磨方法を実施している間、データを記憶できるメモリ２５、特に揮発性メモリを更に含む。
【００９７】
この揮発性メモリ２５は、例えば、ランダムアクセスメモリ（ＲＡＭ）又は電気的消去可能プログラマブル読み出し専用メモリ（ＥＥＰＲＯＭ）である。
【００９８】
ソフト研磨機２１は、研磨機２１の製造ホルダー３２の上にこの研磨機２１によるソフト研磨によって製造される眼科用レンズ３０にアクセスできるように構成されている、窓で塞いだ任意選択的な開口２６を更に含む。
【００９９】
中間光学素子１０から対象眼科用レンズ３０をソフト研磨によって製造するために、ある特定の研磨パラメータ、例えば、中間光学素子の回転速度、研磨機の走査速度、研磨機の走査数、研磨機が光学素子の面に加える圧力、研磨機が続く経路及び研磨機の走査の振幅、研磨機の直径、及び研磨方法中に使用されるスラリに存在する研磨粒子の濃度及び大きさを正確に知る必要があることに留意されたい。
【０１００】
これらのパラメータにより、例えば、その遮断空間周波数及び／又は遮断空間波長、又はその研磨瞳孔によって特徴づけられる規定の平滑化（又は除去）能力をソフト研磨ステップに与えることができる。
【０１０１】
図２は、製造ホルダー上で付加的に製造された中間光学素子１０から得られる眼科用レンズ３０を概略的に示す。
【０１０２】
図２の左側では、付加的に製造された中間光学素子１０を示し、図２の右側では、この中間光学素子１０からソフト研磨によって製造された対象眼科用レンズ３０を示す。
【０１０３】
中間光学素子１０は、第１の面１５（ここでは凸面）及び第２の面１６（ここでは凹面）を設けた本体を含む。この第２の面１６は、ここでは、中間光学素子１０を付加的に製造する製造ホルダーの面に面している。
【０１０４】
変形形態として、凸面の第２の面１６を有する逆の構成を生成してもよく、及び／又は第１の面１５は凹面のプロファイルを有してもよい。
【０１０５】
この中間光学素子１０は、第１の面１５を第２の面１６に接続する周端面を有する。
【０１０６】
ここで、中間光学素子１０は、対象眼科用レンズ３０を嵌合するように構成されている所定のフレームの形状に一致する外形で直接製造されていることに留意されたい。
【０１０７】
変形形態として、中間光学素子は、眼科用レンズに要求される外形と僅かに異なる外形、例えば、所定のフレームに挿入されるように構成されている外形よりも僅かに小さい又は大きい外形、又はレンズを取り扱うことができるために、又は別の理由で、拡張部分を含む外形を形成する周端面を有してもよい。
【０１０８】
眼科用レンズの端面の外形よりも僅かに大きい外形を形成する周端面を中間光学素子が有する場合、特に研磨ステップを容易にして、あり得るエッジの影響の発生を減少するために、相補的な外形は、付加製造ステップで生成される余分な厚さの部分を含んでもよいことに留意されたい。
【０１０９】
別の変形形態では、中間光学素子は、眼科用レンズを所定のフレームに保持することができる少なくとも１つの手段を有してもよく、この手段は付加製造ステップで生成される。この手段は、例えば、孔をあけた眼鏡を必要とするフレームを固定するための、複数の面のうちの少なくとも１つの面を貫通する、中間光学素子に配置された１つ又は複数の孔、及び／又は「ナイロール」タイプのフレーム用のナイロン線を収容する溝、及び／又はレンズをフルリムのフレームに相補的に収容できるようにするためのべベルによって形成されてもよい。
【０１１０】
所定のフレームへの挿入に適した形状を既に有する眼科用レンズを製造する可能性により、場合により店内で行われる縁取りステップに起因する可能性がある眼鏡の位置合わせ不良の危険性を低下させることができ、及び／又はこの可能性により、一般的に必要な半仕上げレンズの在庫を減らすことが更に可能になり得ることに留意されたい。
【０１１１】
ここで、中間光学素子１０は、材料１８の複数の重畳層を形成するのに並置及び重畳された複数の所定の体積要素によって形成される。このような付加製造方法の実装形態によって従来から可能であるように、これらの所定の体積要素は、異なる形状を有していてもよく、互いに異なる体積であってもよい。これらの体積要素は、同じ材料からなってもよく、又は変形形態として、例えば、異なる屈折率及び／又は特徴的な研磨性を有する少なくとも２つの材料からなってもよい。
【０１１２】
異なる屈折率を有する少なくとも２つの材料を使用すると、例えば、最適化された機能的及び光学的特性を対象眼科用レンズに与えることができるのに対して、異なる研磨性を有する少なくとも２つの材料を使用すると、余分な厚さの形状を最適化してソフト研磨の次のステップによって最適な材料を付着させるために、付加製造設定値の決定に特に有利であることに留意されたい。
【０１１３】
この複数の重畳層は、第１の面１５及び第２の面１６と一緒に、この中間光学素子１０の本体を形成する。
【０１１４】
ここで、第１の材料１８の重畳層は、この中間光学素子１０の第１の面１５及び第２の面１６を形成するように異なる長さを有することに留意されたい。
【０１１５】
「層」の概念は、ある特定の付加製造技術に名目上適用できるにすぎず、層は単に、ノズルの所与の動作で、又は所与のマスクを用いて、必ずしも必要でないが材料のスライスを形成して人工的に付着された１組のボクセルであることに留意されたい。しかし、本発明の教示はこれらの技術に容易に移転される。
【０１１６】
ここで、これらの層の各々は、それらの層の長さにわたって実質的に一定の厚さを有し、全ての層は、実質的に同じ厚さを有する。ある特定の付加製造技術は、層の長さに沿って異なる厚さを有する層を生成してもよいことに留意されたい。しかし、本発明の教示は、これらの技術に容易に移転される。
【０１１７】
ここで、層のこの実質的に一定の厚さは、付加製造機１のノズル又はノズル１３の群によって、材料１８の各重畳層に対する所定の体積要素の決定された量の制御付着によって得られることに留意されたい。
【０１１８】
ここで、材料１８は、アクリル重合体、より正確には、光重合体、例えば、商標「ＶｅｒｏＣｌｅａｒ（商標）」の下で企業ＯＢＪＥＴ  Ｌｔｄによって販売される製品などの光重合体である。
【０１１９】
中間光学素子１０の付加製造は、複数の連続重畳層の付着に加えて、１つ又は複数の光重合ステップを必要としてもよいことに留意されたい。
【０１２０】
各体積要素の付着の上で光重合ステップを実施してもよく、又はノズル及び／又はノズルの群の１つの動作の後、又は体積要素の各層を付着した後、一括光重合を実施してもよい。
【０１２１】
更に、より詳細に後で分かるように、中間光学素子１０の重合は、この中間光学素子１０の付加製造ステップの最後で完了していない場合もあることに留意されたい。
【０１２２】
ここで、中間光学素子１０の本体は、それぞれ第１の面１５及び第２の面１６上の本体の両側に配置された２つの余分な厚さ９を含む。
【０１２３】
ここで、中間光学素子１０の形状は、対象眼科用レンズ３０の幾何学的エンベロープに対して第１の面１５及び第２の面１６のうちの少なくとも１つを覆う、Ｓｅで示す厚さの余分な厚さ９を有するように設計されている。
【０１２４】
本発明では、この余分な厚さ９の厚さＳｅは、対象眼科用レンズ３０の幾何学的エンベロープの面と、中間光学素子１０の内面と呼ばれる面、換言すれば、最終（対象）眼科用レンズの面に局所的に最も近い中間光学素子の面の各層の点によって画定される面との間の距離として画定されることに留意されたい。特に、内面は、上述のような凹凸の凹部によって画定される面に対応する。
【０１２５】
従って、局所的に、余分な厚さ９の厚さＳｅは、凹凸の凸部及び凹部による局所的厚さ変動も、隣接するボクセルの連結部に伴う高さ変動も、２つの重畳層又はシート間の「段飛び」も考慮しないように定義される。
【０１２６】
更に、余分な厚さ９の厚さＳｅは、凹凸の振幅を法として、眼科用レンズの幾何学的エンベロープに対するあらゆる点で実質的に一定値を有する。
【０１２７】
好ましくは、中間光学素子の全体にわたって、余分な厚さ９の厚さＳｅは、［１μｍ；１５０μｍ］の範囲に含まれる。レンズの全体にわたる平均の余分な厚さは、［１０μｍ；１００μｍ］の範囲、好ましくは［１０μｍ；５０μｍ］の範囲に含まれる。
【０１２８】
特に、余分な厚さ９の厚さＳｅは、凹凸の最大振幅の２倍以上、且つソフト研磨ステップの材料除去能力よりも小さくなるように選択される。好ましくは、余分な厚さ９の厚さＳｅは、凹凸の最大振幅の３倍以上であるように選択される。眼科用レンズの対象面に垂直な局所を通る軸に沿って凸部及び凹部間の振幅を評価することによって、凹凸の振幅を測定してもよい。
【０１２９】
厚さＳｅの値の選択を単純化するために、換言すれば、各凹凸の振幅を計算する必要がないようにするために、ボクセルの高さの２倍以上、好ましくは３倍以上であるように、余分な厚さ９の厚さＳｅを選択してもよいことに留意されたい。基準として使用されるボクセルの高さを、中間光学素子の面の近くで使用されるボクセルの平均高さ、又はこの中間光学素子の面の近くで使用されるボクセルの最大高さに選択してもよい。実際に、この基準高さは、付加製造によって中間光学素子を製造するのに使用される（ボクセルの）平均高さであってもよい。代わりに、この基準高さは、ボクセルの別の寸法であってもよい。
【０１３０】
研磨方法の材料除去能力は、研磨面の曲率を大幅に変更する研磨ツール無しで研磨して除去できる材料の厚さとして画定される。材料除去能力は、研磨される材料、研磨される中間光学素子に対する研磨機の作動運動、及び研磨機の構造に左右される。
【０１３１】
この値は、例えば、この研磨機を用いて研磨されるべき面の範囲を表す面を有するレンズのサンプルを様々な研磨時間で研磨することによって特定してもよい。例えば、平面研磨機を評価する場合、付加の有無にかかわらず、トーリック面及び球面を含む、ベース２〜６の一連の仕上げレンズを選択することができる。次に、研磨によって引き起こされる曲率の偏差を各レンズに対して測定してもよい。この偏差が、少なくとも１つのレンズに対して、０．１２ジオプター、好ましくは０．０６ジオプターよりも大きい場合、この材料に対する最大研磨厚さ、即ち、この研磨方法を実施することによって得られる厚さは、過度であると考えられる。
【０１３２】
中間光学素子１０の本体において、中間光学素子１０の第１の面１５及び第２の面１６の略断面形状に各々が続く２本の破線及び２本の実線を示すことに留意されたい。
【０１３３】
各面の近くに置かれた実線及び破線は、各々の余分な厚さ９の厚さＳｅに対応する距離だけ互いに離れて設置されている。
【０１３４】
実線は、製造されるべき対象眼科用レンズ３０のいわゆる対象形状を画定するのに対して、破線は、製造されるべき中間光学素子１０の形状の厚さを画定することに留意されたい。
【０１３５】
付加的に製造されるべき中間光学素子１０の形状は、ソフト研磨ステップによって決定される。
【０１３６】
従って、図２では、第１の面１５及び第２の面１６に付加される余分な厚さ９は、ソフト研磨ステップで除去される材料の厚さに対応する、ｅ（図２の詳細図参照）で示す決定された厚さとそれぞれ等しいＳｅで示す平均厚さを有する。
【０１３７】
換言すれば、ここで、ソフト研磨機２１によって実施され、素子１０の第１の面１５及び第２の面１６の各々から厚さｅを除去するように構成されている、ソフト研磨によって材料除去の唯一のステップを引き続き受けるために、対象レンズ３０の両側に配置された決定された幾何学的エンベロープを各々が表す２つの余分な厚さ９を有する決定された形状を有するように、中間光学素子１０を製造する。
【０１３８】
ここで、この厚さｅは、中間光学素子１０の「仮想面」から突出する材料要素の付加された余分な厚さ９の厚さＳｅに略対応する（破線）。
【０１３９】
ここで、除去される材料の厚さｅ（決定された厚さと呼ばれる）及び余分な厚さ９は、同様であり、［１μｍ；１５０μｍ］と略等しい値の範囲に含まれる。余分な厚さ９は、中間光学素子１０の２つの面の各々で必ずしも同じではない。
【０１４０】
このステップは、対象眼科用レンズ３０に要求される形状及び表面仕上げ品質を単一のソフト研磨ステップで得ることができるために、中間光学素子１０の形状を必要とすることに留意されたい。従って、対象眼科用レンズ３０に要求される形状及び表面仕上げ品質を単一のソフト研磨ステップで得ることができる形状を用いて、中間光学素子１０を設計するのが望ましい。
【０１４１】
中間光学素子１０でこの単一のソフト研磨ステップを実施することにより、図２の右側に断面で例示された対象眼科用レンズ３０を得ることができ、このレンズは、ここで処方された複雑な光学的機能を有する。
【０１４２】
従って、製造されたこの対象眼科用レンズ３０は、表面３５及び表面３５と反対の裏面３６、及びここでは中間光学素子１０の外形と同じ外形を有する本体を含む。
【０１４３】
詳細には、ここで、中間光学素子１０は、対象眼科用レンズ３０を嵌合するように構成されている所定のフレームの形状に一致する外形で直接製造されている。
【０１４４】
更に、対象眼科用レンズ３０は、ここで処方された複雑な光学的機能を有する。
【０１４５】
さて、図３及び図４を参照して、この対象眼科用レンズ３０を製造する方法をより詳細に説明する。
【０１４６】
製造方法は、設定形状に応じて付加製造機１を用いて中間光学素子１０を付加的に製造するステップ１００を含む。
【０１４７】
任意選択的に、方法は、得られた中間光学素子１０に照射するステップ２００を含む。ステップ２００では、中間光学素子１０の重合を完了する。
【０１４８】
更に、方法は、ソフト研磨機２１を用いて中間光学素子１０のソフト研磨によって眼科用レンズ３０を製造するステップ３００を含む。
【０１４９】
任意選択的に、方法は、１つ又は複数の所定の機能性コーティング、例えば、曇り止め及び／又は反射防止コーティング、及び／又は色付きコーティング、及び／又はフォトクロミック及び／又は傷防止コーティングなどを付加するために、付加製造、次いでソフト研磨によって得られた眼科用レンズの表面及び／又は裏面を処理するステップ４００を含む。
【０１５０】
図４は、製造方法のステップ、より正確には、図１に例示された付加製造機１による付加製造を目的として、ひいては図４に例示された方法のステップ２００及び３００のうち１つのステップに中間光学素子１０を供給する目的で、中間光学素子１０の製造設定値を決定するステップを例示する。
【０１５１】
付加製造機１の第１の命令制御ユニット２（第１のユニットと呼ばれる）は、製造されるべき眼科用レンズ３０の着用者の処方値を含むファイルをステップ１０１で受信するように構成されている。
【０１５２】
着用者のこれらの処方値は一般的に、ジオプター（Ｄ）で表される。
【０１５３】
更に、第１のユニット２は、着用者、眼科用レンズを収容するためのフレーム及び処方に関連した相補的嵌合及び個人化データをステップ１０２で受信するように構成されている。
【０１５４】
これらの相補的嵌合及び個人化データは、例えば、特にフレーム及び着用者の視覚行動を特徴づける幾何学的値に対応することに留意されたい。例えば、接眼レンズの距離、及び／又は眼球回転中心、及び／又は眼球−頭部係数、及び／又は広角度、及び／又はフレームの顔面形の角度、及び／又はフレームの外形の位置の問題であり得る。単に、着用者の目に対する眼科用レンズ３０の幾何学的位置の問題であり得る。
【０１５５】
第１のユニット２は、着用者の目に対するレンズ３０の幾何学的位置に応じて、それぞれのステップ１０１及び１０２で受信された着用者処方値と相補的嵌合及び個人化データとから着用者に合わせられた補正光学的機能をステップ１０３で決定するように構成されている。
【０１５６】
着用者に合わせられたこの補正光学的機能は、製造されるべき眼科用レンズ３０の対象光学的機能に対応する。
【０１５７】
例えば、着用者倍率及びレンズの得られる非点収差をレンズの着用条件に対して決定することができる光線追跡ソフトウェアパッケージを用いて、着用者に合わせられた補正光学的機能を決定してもよいことに留意されたい。周知の光学的最適化方法を用いて、最適化を実行してもよい。
【０１５８】
第１のユニット２は、ステップ１０３で決定されるように、着用者に合わせられたこの補正光学的機能を特徴づける「光学的機能」という名前のファイルをステップ１０４で生成するように構成されている。
【０１５９】
着用者に合わせられた補正光学的機能を、ステップ１０３で第１のユニット２によって決定される代わりに、このようなファイル形式でこの第１のユニット２によって直接受信してもよいことに留意されたい。
【０１６０】
第１のユニット２は、ステップ１０４で生成された「光学的機能」ファイル、及びステップ１０２で受信された相補的嵌合及び個人化データ、特に眼科用レンズ３０を収容するのに設けられたフレームに関連したデータから、製造されるべき眼科用レンズ３０用の対象幾何学的特性をステップ１０５で決定するように構成されている。
【０１６１】
第１のユニット２は、ステップ１０５で決定されるように、製造されるべき眼科用レンズ３０の幾何学的特性を特徴づける「対象形状」という名前のファイルをステップ１０６で生成するように構成されている。
【０１６２】
この「対象形状」ファイルは、例えば、有限数の点のｘ、ｙ、ｚ、θ座標の形式、又は各面を画定する面関数ｚ＝ｆ（ｘ、ｙ）、屈折率に対応づけられた特性、及び上述のような様々な距離及び角度の形式をとる幾何学的特性を含むいわゆる面ファイルであることに留意されたい。実際に、「対象形状」ファイルは、眼科用レンズ３０に与えられるべき形状及び光学的機能の両方を表す。
【０１６３】
更に、第１のユニット２は、ソフト研磨機２１のソフト研磨データを含むファイルをステップ１０７で受信するように構成されている。例えば、遮断空間周波数及び／又は遮断空間波長によって特徴づけられる研磨機の平滑化（又は除去）能力、及び／又は研磨瞳孔の直径の問題であり得る。更に、ソフト研磨機の技術的パラメータ、例えば、中間光学素子の回転速度、走査速度、走査数、研磨機が光学素子の面に加える圧力、研磨機が続く経路及び研磨機の走査の振幅、研磨機の機械的特性（研磨機の寸法及び構造を含む）、研磨粒子の大きさ、濃度及び／又は硬度の問題であり得る。
【０１６４】
ソフト研磨に対する最大除去効果を保証するために、ソフト研磨遮断空間波長は、可能な限り長いことが好ましいのに対して、変形しないように考慮すると、ソフト研磨ステップは、可能な限り短いソフト研磨遮断空間波長を有することが好ましい。
【０１６５】
眼科用レンズに効果的である、即ち、レンズの幾何学的エンベロープの曲率を変形させることなく光学的欠陥を生成する凹凸を除去し、所与の光学的機能を得ることができるソフト研磨ステップを実施するために、ソフト研磨遮断空間波長は、約０．５ｍｍ〜５ｍｍ、好ましくは約０．５ｍｍ〜２．５ｍｍに含まれる必要があることが好ましい。
【０１６６】
更に、第１のユニット２は、中間光学素子１０を付加的に製造するのに使用される材料１８の屈折率に関連した特性を含むファイルを受信する（ステップは図示せず）ように構成されている。
【０１６７】
任意選択的に、第１のユニット２は、中間光学素子１０の屈折率変動及び寸法収縮を決定するように構成されている。ここで、一方では、中間光学素子１０を製造する材料１８の屈折率、他方では、例えば焼き付けステップ中の中間光学素子１０の形状（寸法収縮）に対するその後のあり得る変化の問題である。
【０１６８】
第１のユニット２は、少なくともソフト研磨データ及び製造されるべき眼科用レンズ３０の対象形状に関連したファイル、及びステップ１０６及び１０７におけるファイルに生成又は受信された特性及び値から、及び中間光学素子１０の屈折率のあり得る変動及びあり得る寸法収縮に関連した特性及び中間光学素子１０の製造材料の屈折率の値から、中間光学素子１０に付加されるべき余分な厚さ９をステップ１０８で決定するように構成されている。
【０１６９】
第１のユニット２は、所定のソフト研磨ステップの特性データ及びステップ１０６で生成された「対象形状」ファイルと一緒に、ステップ１０８で決定された余分な厚さ９の厚さＳｅの値から、製造されるべき中間光学素子１０の幾何学的特性をステップ１０９で推論するように構成されている。
【０１７０】
従って、眼科用レンズ３０の対象形状と中間光学素子１０の形状との間の形状差を余分な厚さが表すような方法で、中間光学素子１０のこれらの幾何学的特性を推論することに留意されたい。
【０１７１】
更に、第１のユニット２は、次のソフト研磨ステップに応じて、ステップ１０９で推論され、所望の形状を表す中間光学素子１０の幾何学的特性を特徴づけるファイルをステップ１１０で生成するように構成されている。
【０１７２】
このファイルは、中間光学素子及び／又は余分な厚さ、及び任意選択的に眼科用レンズの幾何学的特性を含むことが好ましい。例えば、ｘ、ｙ、ｚ、θ座標の形式、又は有限数の点での各面を画定する面関数ｚ＝ｆ（ｘ、ｙ）、屈折率に対応づけられた特性、及び上述のような様々な距離及び角度の形式をとる幾何学的特性を含むいわゆる面ファイルの問題である。
【０１７３】
換言すれば、面ファイルと呼ばれるこのファイルは、１つ又は複数の材料の所定の体積要素の決定された構成を実際に用いて、製造されるべき中間光学素子１０に要求される形状の記述を反映する。
【０１７４】
この面ファイルは、例えば、デジタル物体として対象眼科用レンズ及び余分な厚さを含む中間光学素子を示すために、典型的にＣＡＤ設計ファイル内の三次元モデリングデータの形式で表示してもよい。
【０１７５】
ここで、中間光学素子１０の形状は、レンズ３０を嵌合するように構成されているフレームの外形に直接一致するように画定される。従って、縁取りステップは必要でない。変形形態として、このファイルに定義されるような素子１０の外形はフレームの外形に一致せず、縁取り動作を必要とする。
【０１７６】
更に、第１のユニット２は、中間光学素子１０の形状に関連したステップ１１０で生成されたファイルに含まれる特性から、中間光学素子１０の製造設定値をステップ１１３で決定するように構成されている。
【０１７７】
第１のユニット２は、付加製造機１の（この製造機の既知の座標系における）製造ホルダー１２上の中間光学素子１０の製造設定値に対応する製造ファイルをステップ１１４で生成するように構成されている。
【０１７８】
この「設定値」ファイルは、ステップ１１０で生成された中間光学素子１０の形状ファイルに類似しており、互いの体積要素の付着の順序、及び付加製造機の基準のフレームに対する１つ又は複数の材料の所定の体積要素の構成を実際に用いて、製造されるべきこの中間光学素子１０に要求される形状の転写記述を反映する点が異なる。
【０１７９】
ここで、中間光学素子１０で様々な種類の製造ゾーンを形成するように、１つ又は複数の付加製造戦略によって、中間光学素子１０の形状とボクセルの付着の順序及び構成との両方を決定することに留意されたい。
【０１８０】
これらの付加製造戦略は、例えば、製造用の製造ホルダー１２上の中間光学素子１０の決定された傾斜、及び／又は付加材料の量及び／又は付加材料の質で改良された製造を含んでもよい（図７〜図１２に関して下記参照）。
【０１８１】
例えば、中間光学素子１０の余分な厚さ９を決定するステップ１０８の間に、又はこの中間光学素子１０の形状の決定（ステップ１１０）の時に、これらの様々な付加製造戦略を考慮してもよい。
【０１８２】
このファイルのデータは、中間光学素子１０のあり得る屈折率変動及びあり得る寸法収縮に関連した変更も表すことにも留意されたい。
【０１８３】
第１のユニット２は、ステップ１１４で生成された製造ファイルにおける特性に基づいて、付加製造機１における製造ホルダー１２上の中間光学素子１０の付加製造を開始するように構成してもよい（図３のステップ１００）。
【０１８４】
従って、この第１の命令制御ユニット２は、眼科用レンズを製造する方法の様々なステップを実施するように設計されたソフトウェアパッケージを実行するように構成されており、このソフトウェアパッケージは、中間光学素子１０の製造設定値を決定する、又は更に中間光学素子１０を生成する受信パラメータを使用する。
【０１８５】
ソフト研磨機２１の命令制御ユニット２２（第２のユニットと呼ばれる）は、ステップ１０７で第１のユニット２によって受信されたデータと同様の研磨データを有する所定のソフト研磨方法をそれ自体で実施するように構成されており、そのデータは、中間光学素子１０の余分な厚さ９の決定において考慮される。
【０１８６】
これらの研磨データは、上述のデータ、即ち、例えば、遮断空間周波数及び／又は遮断空間波長によって特徴づけられる研磨機の平滑化（又は除去）能力、及び／又は研磨瞳孔の直径と同一である。更に、ソフト研磨機の技術的パラメータ、例えば、中間光学素子の回転速度、走査速度、走査数、研磨機が光学素子の面に加える圧力、研磨機が続く経路及び研磨機の走査の振幅、研磨機の機械的特性（研磨機の寸法及び構造を含む）、研磨粒子の大きさ、濃度及び／又は硬度の問題であり得る。
【０１８７】
第２のユニット２２は、中間光学素子１０の幾何学的エンベロープを決定するのに画定及び使用されたものと同様の研磨瞳孔により、決定された材料厚さｅを除去して、光学的品質の粗さを有する面３５及び３６と規定の光学的機能とを有する眼科用レンズ３０を生成するために、ソフト研磨機における製造ホルダー３２上の得られた中間光学素子１０の少なくとも１つの面１５、１６のソフト研磨の唯一のステップを開始するように構成されている。
【０１８８】
変形形態として、同じ面をソフト研磨する複数の連続ステップを実施してもよい。
【０１８９】
さて、方法、特に、選択された改良製造戦略によって製造設定値を決定するステップの変型実施形態をより詳細に説明する。
【０１９０】
図５は、例えば、約０．５ｍｍ〜約２．５ｍｍに含まれる所定の直径の研磨瞳孔３３（瞳孔はソフト研磨ステップの特徴である）の表現、及び第１の面側（第１の面は図示せず）の図２に示す中間光学素子１０の面の詳細を例示する。
【０１９１】
この詳細では、材料１８の５つの重畳層を部分的に示し、これらの層の第１の面側の端部が見える。所定の厚さ（又は高さ）ｈ（ｈ１、ｈ２）を有する２つの近接重畳層の間の連結部における中間光学素子１０の面上で、長さλ（λ１、λ２）を有する段を形成する。ここで、２つの段の高さ及び長さをそれぞれ、ｈ１及びλ１、ｈ２及びλ２で示す。
【０１９２】
この詳細では、連続層、特に各対の重畳層の境界面に形成された凹凸４０も示す。
【０１９３】
ここで、各凹凸には、上層の上面４４における自由端に位置する高点とも呼ばれる凸部４１、及び上層の端部と真下の下層との間の連結部に位置する低点とも呼ばれる凹部４２が設けられている。
【０１９４】
更に、各凹凸４０には、凸部４１と凹部４２との間に配置され、この段の端部に位置するボクセルの高さを実質的に表す肩４３が設けられている。
【０１９５】
図６は、凹凸がソフト研磨ステップで研磨される前の単一の凹凸４０（ここでは段タイプ）を斜視図及び断面図で、及び凹凸がソフト研磨機２１によって研磨された後のこの凹凸４０を断面図で、非常に概略的に例示する。
【０１９６】
ソフト研磨前の凹凸４０は、図５を参照して記載した凹凸と同一である。
【０１９７】
ソフト研磨ステップが実施された後、凹凸は、消えてなくなり、又は殆ど消えてなくなり、研磨されたと言える略曲面４６が形成され、その研磨面は、上層の上面４４と下層の下面４５とを連結する。
【０１９８】
ソフト研磨後、この面４６は、ここで研磨瞳孔の直径と実質的に同様の直径を有するレンズの面のゾーンに対応することに留意されたい。このゾーンの幅をＤで示す。レンズの面のこのゾーンは、ソフト研磨前の中間光学素子１０の面上にある単一の凹凸上の研磨瞳孔の動作のゾーンである。このゾーンの幅は、ソフト研磨後の凹凸の拡大長さに実質的に対応する。
【０１９９】
図７は、第１の改良付加製造戦略を例示する。
【０２００】
ここで、少なくとも１つの材料の複数の所定の体積要素を付着させる層化軸と呼ばれる所定の付加構成軸４８に対して、ステップ１０８〜１１４で決定された角度θだけ中間光学素子１０を傾斜させる。
【０２０１】
付加製造技術は、ここで層に垂直な軸に対応する層化軸に沿って重畳された複数の層から形成される体積を製造するように互いにボクセルの複数の層を付着させることによって動作する。
【０２０２】
中間光学素子１０の面の少なくとも１つの決定されたゾーンにおいて、研磨瞳孔の直径によって決定された臨界距離よりも短い距離だけ互いに離れて凹凸４０を配置するように傾斜角θを決定することに留意されたい。
【０２０３】
ここで、臨界距離は、研磨瞳孔の直径の１／２、更に１／４、好ましくは１／１０以下である。
【０２０４】
中間光学素子１０の製造設定値は、前記凹凸を中間光学素子１０の有用な領域に集中させるように構成されていることに留意されたい。
【０２０５】
ここで、「有用な領域」が意味する内容は、中間光学素子の領域であり、この中間光学素子の外形は、対象眼科用レンズ３０を嵌合するように構成されている所定のフレームの形状に一致する外形に対応する。
【０２０６】
このような製造戦略により、製造中に素子１０の傾斜無しの付加製造と比べて、段飛び（凸部及び凹部）の数、ひいては中間光学素子１０の面上の凹凸の数を増加することができるのが有利である。
【０２０７】
従って、ソフト研磨ステップにおいて、研磨瞳孔は、所与のゾーンでより多数の凹凸を侵食する。
【０２０８】
図８は、代替案として、又は第１の戦略に加えて使用できる第２の改良付加製造戦略を例示する。
【０２０９】
ここで、材料の所定の体積要素を付着させるか否か、ひいては妨害物に対応する孔を材料の層に導入するか否かを選択する戦略と等しい、付加材料量で改良された製造戦略に応じて中間光学素子１０の製造設定値を決定する。
【０２１０】
より正確には、交互に形成された複数の第１のセグメント５０及び第２のセグメント５１を各々設けた第１のタイプの製造ゾーンを断面で面１５及び１６のうちの少なくとも１つの面に中間光学素子１０が有するように、中間光学素子１０の製造設定値を決定する。
【０２１１】
第１のセグメント５０には各々、材料の所定の体積要素が設けられており、第２のセグメント５１には各々、材料の要素が少なくとも部分的に存在しない。
【０２１２】
従って、この層妨害物を含む構成により、第１のタイプのこれらの製造ゾーンに凹凸を形成することができ、研磨瞳孔の直径によって決定された臨界距離よりも短い距離だけ互いに離れてこれらの凹凸４０を配置する。
【０２１３】
ここで、臨界距離は、研磨瞳孔の直径の１／２、更に１／４、好ましくは１／１０以下である。
【０２１４】
この最適化戦略により、材料の要素の任意の対の層に対して多数の層妨害物を生成することができる。従って、図８の例では、構造は材料の僅か３層を含むが、各層は、５μｍ〜５０μｍに含まれる厚さを有し、約６０個の層妨害物が形成されており、即ち、約１２０個の前部が図８の断面軸に沿って形成されている。従って、この戦略は、層飛びのスクランブリングにたとえられ、多数の層妨害物によって、ある層から他の層へ通路を面に形成することができる。
【０２１５】
中間光学素子１０の製造設定値は、前記凹凸を中間光学素子１０の有用な領域に集中させるように構成されている。
【０２１６】
このような製造戦略により、材料の量で改良された製造無しの付加製造と比べて、段飛び（凸部及び凹部）の数、ひいては中間光学素子１０の面上の凹凸の数を増加することができるのが有利である。
【０２１７】
従って、ソフト研磨ステップにおいて、研磨瞳孔は、所与のゾーンでより多数の凹凸を侵食する。
【０２１８】
第１のタイプの製造ゾーンには、材料又は複数の異なる材料の所定の体積要素を設けてもよい。
【０２１９】
ここで、第１のタイプの製造ゾーンは、対象眼科用レンズ３０の面に垂直な軸の滑りシリンダによって画定され、この滑りシリンダにおける余分な厚さ９の全体積は、実質的に一定のままである。ここで、滑りシリンダは、ソフト研磨ステップの特徴的な研磨瞳孔の直径と同様の直径を有する。ここで、中間光学素子１０は、異なる層で形成され、重ならない第１のタイプの複数の製造ゾーンを有するように製造される。
【０２２０】
換言すれば、第１のタイプの各製造ゾーンは、別の層に侵入することなく、１つの層で配置される。
【０２２１】
変形形態として、第１のタイプの製造ゾーンのうちの少なくとも１つを、真下の下層を重ねる１つの層で形成してもよい。
【０２２２】
更に、変形形態として、第１のタイプの製造ゾーンのうちの少なくとも１つを、２つの異なる近接重畳層で形成してもよい。
【０２２３】
図８のプロファイル６０で示した、滑りシリンダにおける材料量は、曲面６０及び対象面が実質的に等しいように、対応する対象面のプロファイルに滑りシリンダが追従する場合に「見られる」材料量と実質的に等しいことに留意されたい。
【０２２４】
換言すれば、最適化戦略を実施する第１のタイプの製造ゾーンは一般的に、製造されるべきレンズの対象面のプロファイルのセグメントの上に延びる。第１のタイプのこのゾーンは、例えば、余分な厚さの体積を形成するボクセルの所定の余りを有する。プロファイルのセグメントに沿って見られるこの体積は、実質的に一定である。これは、内部体積を有する要素が対象レンズのプロファイルのセグメントに沿って移動すると考えられる場合、この要素は、余分な厚さを形成する材料の実質的に同じ量を、プロファイルのセグメント上の任意の位置にその内部体積で含む。ここで、この要素を滑りシリンダと呼ぶ。
【０２２５】
ボクセルと呼ばれる所定の体積要素は、第１のタイプの製造ゾーンで構成中に異なるサイズを有してもよく、及び／又は第１のセグメントは全て、最初のゾーンで同じサイズを有するとは限らないことにも留意されたい。例えば、第１のセグメントの幅は異なる、及び／又は第１のセグメントの高さは異なる。１つの第１のセグメントは、別の第１のセグメントから所定の距離であってもよく、これらのセグメントを第２のセグメントで隔てられており、前記距離は、ボクセルの最小幅未満であってもよい。
【０２２６】
材料量で改良されたこの製造戦略は、単に、同じの量のボクセルの分散でなくてもよいことに留意されたい。詳細には、第１及び第２のセグメントは、少なくとも１つの隣接セグメントのボクセルよりも多い又は少ない１つ又は複数のボクセルを含んでもよい。
【０２２７】
従って、複数のセグメント状態、即ち、付着させるボクセルがない空の状態、層のボクセルの平均サイズと比べて小さいと言えるサイズのボクセルを付着させる窪み状態、平均サイズのボクセルを付着させる満杯状態、及び平均サイズよりも大きいサイズのボクセルを付着させる過剰状態を得るために、分散ボクセルの体積の変動を採用することができる。
【０２２８】
（使用付加製造技術に依存して）様々な体積のボクセルを使用すると、ボクセルの最小サイズのみを固定するため、改良製造における高い自由度を得ることができる。
【０２２９】
使用技術により、可変体積のボクセルを付着させることができない場合、凹部は、１つのボクセルのサイズに限定されない。詳細には、前記ボクセル間に外接した凹部を生成するようにボクセルを付着させることができ、凹部は、１つのボクセル、又は１つのボクセルのサイズの倍数である体積よりも僅かに小さい又は僅かに大きい。
【０２３０】
図９Ａ及び図９Ｂ、図１０Ａ及び図１０Ｂ、図１１Ａ〜図１１Ｃは、第２の改良付加製造戦略の３つの変型実施形態をそれぞれ例示する。
【０２３１】
特に、図９Ａ及び図９Ｂは、実質的放射パターン、即ち、眼科用レンズに適用される最大傾きであると言える軸に沿って延びるパターンを有する層飛びにスクランブルをかけるシステムを概略的に示す。
【０２３２】
このスクランブリングシステムは、ｎ番目の層からｎ＋１番目の層に唯一の遷移を形成する連続した層妨害物によって特徴づけられ、上（図９Ａ）から分かるように、及び眼科用レンズ用の最大傾きの局所軸、ここでは放射軸についての断面図（図９Ｂ）によって、これらの妨害物を例示する。
【０２３３】
従って、図９Ａは、黒のｎ＋１番目の層の連続した交互の第１の帯９０によってスクランブルがかけられ、第２の帯９１によって隔てられた層前部の外形を例示し、ｎ＋１番目の層は存在せず、ｎ番目の層は上部にある。
【０２３４】
図９Ｂにおいて、第１の帯９０は、より高い平均高さ（図９Ｂで左から右へ）の領域の方向に断面で増加する幅を有するのに対して、第２の帯９１は、より低い平均高さ（図９Ｂで右から左へ）の領域の方向に断面で増加する幅を有することが分かる。
【０２３５】
従って、この連続した第１の帯９０及び第２の帯９１は、眼科用レンズの曲率の放射スクランブリングを表す。
【０２３６】
図１０Ａ及び図１０Ｂは、層飛びのスクランブリングの別の変形形態に注目して、中間光学素子の全体図（図１０Ａ）及び中間光学素子の詳細図（図１０Ｂ）を示す中間光学素子１０の部分略図である。
【０２３７】
ここで、更に、材料の所定の体積要素を付着させるか否か、ひいては、例えば妨害物に対応する孔を材料の層に導入するか否かを選択する戦略と等しい、付加材料量で改良された製造戦略に応じて中間光学素子１０の製造設定値を更に決定する。
【０２３８】
ここで、従って、交互に形成された複数の第１のセグメント１５０及び第２のセグメント１５１を各々設けた第１のタイプの製造ゾーンを断面で中間光学素子の面のうちの少なくとも１つの面に中間光学素子１０が有するように、中間光学素子１０の製造設定値を更に決定する。
【０２３９】
第１のセグメント１５０には各々、材料の所定の体積要素が設けられており、第２のセグメント１５１には各々、材料の要素が少なくとも部分的に存在しない。
【０２４０】
交互の第１の帯９０及び第２の帯９１は、放射状に、即ち、層間の最大傾きの軸と全体的に平行な全方向に少なくとも延びる、図９Ａ及び図９Ｂに例示された戦略と対照的に、交互の第１のセグメント１５０及び第２のセグメント１５１は、ここで、層間の最大傾きの軸と全体的に垂直な全方向に主に延びる。特に、眼科用レンズにおいて、第１及び第２のセグメントは、従って、レンズの光軸に対して全体的に垂直放射状の方向に交互する。この方向は、局所軸、又は最終レンズの曲率に対して実質的に垂直放射状の曲線であってもよい。
【０２４１】
従って、この連続した第１のセグメント１５０及び第２のセグメント１５１は、眼科用レンズの曲率の垂直放射スクランブリングを表す。
【０２４２】
この限定されない例では、可能な限り単純に、即ち、単一の第１の部分及び単一の第２の部分のみを実際に形成するように、第１のセグメント及び第２のセグメントを配置する。従って、この実施形態では、最大傾きの軸と直交する方向を考慮する場合、多数の層妨害物を生成するにもかかわらず、各層に対して単一の層前部がある。
【０２４３】
ここで、第２のゾーンを形成する連続した谷部で鱗状に重なった第１のゾーンの連続した山部として層化軸に対応する重力軸を用いて、地理的類推によって、図１０Ｂの構造を説明することができる。山部及び谷部は、最大傾きの方向に向けた凸状端部を有し、山部の端部は、より低い高さの領域に向けられ、谷部の端部は、より高い高さの領域に向けられる。山部の端部は略臨界距離だけ隔てられており、谷部の端部も略臨界距離だけ隔てられている。
【０２４４】
図１０Ａに例示された層飛び４０は、図１０Ｂにおける中間光学素子１０の上面図の破線で概略的に表される。改良された付加製造戦略を適用しない場合、これらの層飛び４０は、層前部又は凹凸に対応することに留意されたい。
【０２４５】
ここで、２つの連続した第１のセグメント１５０の凸部は、ｄｃで示す略決定された臨界距離以下の距離だけ離れて配置されていることが分かる。
【０２４６】
ここで、第１のセグメント１５０の凸部は、実質的にｄｃで示す決定された臨界距離の大きさのオーダーである、ｄｓで示す距離だけ、隣接する層飛びを形成する要素から離れて位置していることも分かる。
【０２４７】
図８に例示された製造戦略と同じ方法で、第１のタイプの製造ゾーンに、１つ又は複数の異なる材料の所定の体積要素を設けてもよい。
【０２４８】
ここで、第１のタイプの製造ゾーンは、対象眼科用レンズをそのまま通過しない、対象眼科用レンズの面に垂直な軸の滑りシリンダによっても画定され、この滑りシリンダにおける余分な厚さの全体積は、実質的に一定のままである。ここで、滑りシリンダは、ソフト研磨ステップの特徴的な研磨瞳孔の直径と同様の直径を有する。
【０２４９】
滑りシリンダにおける材料量は、対応する対象面のプロファイルに滑りシリンダが追従する場合に「見られる」材料量と実質的に等しいことに留意されたい。
【０２５０】
上述のように、これは、内部体積を有する要素がプロファイルのセグメントに沿って移動すると考えられる場合、この要素は、余分な厚さを形成する材料の同じ量を、プロファイルのセグメント上の任意の位置にその内部体積で含む。ここで、この要素を滑りシリンダと呼ぶ。
【０２５１】
第１のセグメント１５０のプロファイルは、図１０Ｂに例示されたプロファイル、即ち、直線斜面を有する歯付きプロファイルと異なってもよい。例えば、プロファイルは、曲線、凹及び／又は凸斜面を有する歯付きであってもよい。
【０２５２】
図１０Ｂは、単一の層飛びに対応する第１のタイプのゾーンのみを示すが、当然のことながら、第１のタイプのこのようなゾーンを、図１０Ａに例示された他の層飛びに対して形成することもできる。１つの層飛びに対応する、図１０Ｂに例示されたゾーンの第１のセグメント１５０の凸部は、例示されず、隣接する層飛びに対応する第１のタイプの他の製造ゾーンの凹部を貫通することができ、またその逆でもよいことに留意されたい。この場合、２つの層飛びに対して第１のタイプのゾーンの相互貫通凸部を隔てる距離は、決定された臨界距離よりも短い距離だけ離れている。
【０２５３】
図１１Ａ、図１１Ｂ及び図１１Ｃは、分散パターンを含む層飛びにスクランブルをかける別のシステムの略図である。ここで、ｎ番目の層からｎ＋１番目の層への単一の遷移を形成できる連続した層妨害物を上から示す。
【０２５４】
これらの連続した層妨害物は、それぞれ最大傾きの軸に沿って、又はこの軸と垂直に、実質的に放射状の断面軸及び実質的に垂直放射状の断面軸（上述の意味で）に沿って、交互の第１及び第２のセグメントを配置するように構成されている。
【０２５５】
図１１Ａは、改良付加製造戦略を表す、層飛びにスクランブルをかけるこのシステムへのインクジェット印刷の類推を概略的に示す。
【０２５６】
第１のゾーン及び第２のゾーンによって形成される一連のパターンを例示し、ｎ番目の層とｎ＋１番目の層との間の単一の層飛びにスクランブルをかけることができる。この一連のパターンは、ｎ番目の層の１つのレベルを表す第１の均一白パターン、及びｎ＋１番目の層のレベルを表す第２の均一黒パターンを有する。これらの第１及び第２のパターンの間に、黒領域及び白領域の様々な構成を含む複数の他の中間パターンがある。これらのパターンの大部分を覆う第１のゾーンを含む最も黒いものを含むパターンは、ｎ＋１番目の層のレベルの第２のパターンに最も近く、これらのパターンの大部分を覆う第２のゾーンを含む最も白いものを含むパターンは、ｎ番目の層のレベルの第１のパターンに最も近いように、これらの中間パターンを配置する。
【０２５７】
従って、所与の中間パターン内で、第１及び第２のゾーンは、可能な限り均一に材料を分布するようにサイズ及び分布を有する。しかし、本発明のこの変形形態は、詳細に例示されたパターンに限定されないことは当業者に明らかであろう。
【０２５８】
上記から分かるように、図１１Ｂ及び図１１Ｃは、黒及び白の実質的に同じ平均密度を有する２つの非常に異なるパターンを例示する。
【０２５９】
図１１Ｂに例示されたパターンにおいて、第１のゾーンは、３×３ボクセルの略十字形である。第１のゾーンの十字形は、４つの隣接物を少なくとも用いて互いに整列され、単一のボクセルが無いことによって各々形成された第２のゾーンによって互いに隔てられている。
【０２６０】
図１１Ｃに例示されたパターンにおいて、第１のゾーンは、約３×３ボクセルの略正方形である。第１のゾーンの正方形は、隣接正方形に整列されず、全ての第１のゾーン間で連続的な単一の第２のゾーンによって互いに隔てられている。
【０２６１】
図１２は、代替案として、又は第１の戦略及び／又は第２の戦略に加えて使用できる第３の改良付加製造戦略を例示する。
【０２６２】
ここで、１つ又は複数の材料の所定の体積要素を付着させるか否かを選択する戦略と等しい、付加材料量で改良された製造戦略に応じて中間光学素子１０の製造設定値を決定し、これらの所定の体積要素は異なる研磨性を有する。
【０２６３】
より正確には、異なる研磨性を有する１つ又は複数の材料の所定の体積要素を各々設けた第２のタイプの製造ゾーンを断面で面１５及び１６のうちの少なくとも１つの面に中間光学素子１０が有するように、中間光学素子１０の製造設定値を決定する。
【０２６４】
可変の研磨性の所定の体積要素を含むこの構成により、ソフト研磨に特に適した製造ゾーンを形成することができる。
【０２６５】
ここで、段、ひいては凸部及び凹部から形成された凹凸４０、及び可変の研磨困難性を形成するように、第２のタイプの各製造ゾーンを画定する。
【０２６６】
ここで、凹凸のすぐ近傍にあり、凸部及び凹部を形成する１つ又は複数の所定の体積要素は、この凸部及びこの凹部から離れて位置する１つ又は複数の所定の体積要素よりも研磨するのが容易であることに留意されたい。例えば、考慮される点が凹凸４０の凸部及び凹部に近いほど、１つ又は複数の材料の所定の体積要素は、中間光学素子の本体に使用される材料と比べて脆い材料、又は多孔性薬剤を含む材料によってより多く形成される。
【０２６７】
従って、付着ボクセルは、ボクセルによって異なる耐研磨性を有してもよい。これは、例えば、研磨ステップの前に形成すべき多孔性材料からなるボクセルを導く孔形成薬剤、又はシリカ又はジルコニア又は別の酸化物のナノ粒子などの耐研磨性を増加する薬剤を、決定された比率で主要材料に加えることによって可能である。
【０２６８】
代わりに、ボクセルは、可変比率で、異なる研磨性の２つの材料の混合によってボクセルごとに異なる耐研磨性を有してもよい。最後に、ボクセルは、一方から他方へ重合度の変化によってボクセルごとに異なる耐研磨性を有してもよい。
【０２６９】
ここで、中間光学素子１０は、異なる層で形成されるが、重ならない第２のタイプの複数の製造ゾーンを有するように製造される。
【０２７０】
換言すれば、第２のタイプの各製造ゾーンは、別の層に侵入することなく、１つの層で配置される。
【０２７１】
変形形態として、第２のタイプの製造ゾーンのうちの少なくとも１つを、真下の下層を重ねる１つの層で形成してもよい。
【０２７２】
更に、変形形態として、第２のタイプの製造ゾーンのうちの少なくとも１つを、２つの異なる近接重畳層で形成してもよい。
【０２７３】
図７〜図９に例示された３つの改良付加製造戦略のうち１つ又は複数を実施することによって、中間光学素子１０を製造してもよいことに留意されたい。
【０２７４】
換言すれば、中間光学素子１０は、例えば、所与の層及び／又は異なる層で第１のタイプ及び第２のタイプの製造ゾーンを含んでもよい。
【０２７５】
１つの変形形態（図示せず）において、クライアント−サーバ通信インターフェースは、プロバイダ側と呼ばれるもの、及びクライアント側と呼ばれるものを有し、これらの２つの側は、ネットワーク、例えばインターネット上で通信する。
【０２７６】
プロバイダ側は、図１の命令制御ユニットと同じタイプの命令制御ユニットに接続されているが、製造システム、特に付加製造機及びソフト研磨機に組み込まれていないサーバを含み、このサーバは、インターネットインターフェースと通信するように構成されている。
【０２７７】
クライアント側は、インターネットインターフェースと通信するように構成されており、プロバイダ側の命令制御ユニットと同じタイプの１つ又は複数の命令制御ユニットに接続されている。
【０２７８】
更に、１つ又は複数のクライアント側ユニットは、図１の付加製造機と同じタイプの、中間光学素子を製造する付加製造機、及び中間光学素子から眼科用レンズを製造する少なくとも１つのソフト研磨機に接続されている。
【０２７９】
１つ又は複数のクライアント側ユニットは、ステップ１０１、１０２及び１０７に対応するデータファイル、及び使用材料のデータ特性を受信するように構成されている。
【０２８０】
１つ又は複数のクライアント側ユニットは、中間光学素子の製造設定値を決定し、眼科用レンズの製造設定値を決定するために、インターネットインターフェース及びサーバを介してこれらのデータを１つ又は複数のプロバイダ側ユニットに送信する。
【０２８１】
１つ又は複数のプロバイダ側ユニットは、製造方法を実施し、ひいては、一方で中間光学素子の製造用の製造設定値、及び他方で眼科用レンズの製造用の製造設定値を推論するために、データ処理システムを介してコンピュータプログラムを実行する。
【０２８２】
１つ又は複数のプロバイダ側ユニットは、サーバ及びネットワークを介して、中間光学素子の製造設定値を表す決定されたファイル及び眼科用レンズの製造設定値を表す決定されたファイルを、１つ又は複数のクライアント側命令制御ユニットに送信する。
【０２８３】
１つ又は複数のクライアント側ユニットは、中間光学素子、次いで眼科用レンズを生成するために、受信パラメータを用いて、眼科用レンズの製造方法を実施するソフトウェアパッケージを実行するように構成されている。
【０２８４】
１つの変形形態（図示せず）において、付加、次いでソフト研磨製造ステップの後に、残りの表面凹凸を軽減するために選択されたニス膜の付着が続いてもよい。特に、ここで、ニス層、例えば、本出願人の欧州特許出願公開第１８９６８７８号明細書に提出された内容、又は眼科用品質に非常に近い特定の品質を有する面がこの眼科用品質を実現することができるように構成されている特開２００２−１８２０１１号公報について記載する。まさにソフト研磨と同様に、このニス層の出願では、主要な曲率、又は１つ又は複数の付加物を追跡するパターンなどの、レンズの面の主要な曲率を変更しない。
【０２８５】
変形形態（図示せず）は、下記の通りである。
−  製造システムは、付加製造機及びソフト研磨機が組み込まれた同一の機械のみを含む。
−重  畳及び並置された複数の所定の体積要素は、一定であるか、若しくは重畳層の長さにわたって変わる厚さを各々有し、及び／又は全てが同じ厚さを有する若しくは有しない重畳層を形成する。
−  材料は、例えば、ステレオリソグラフィによって付着された透明材料、例えば、商標「Ａｃｃｕｒａ（登録商標）ＣｌｅａｒＶｕｅ」の下で企業３Ｄ  ＳＹＳＴＥＭＳによって販売されるエポキシ重合体である。
−  材料は、１つ又は複数のアクリル、メタクリル、アクリル酸塩又はメタクリル酸塩機能を有する分子の１つ又は複数の群、１つ又は複数のエポキシ、チオエポキシ又はチオレン機能を有する分子の群、１つ又は複数のビニルエーテル、ビニルカプロラクタム又はビニルピロリドン機能を有する分子の群、超分岐又はハイブリッド有機／無機材料の群、又はこれらの機能の組み合わせ、単量体又はオリゴマー、又は単量体及びオリゴマーの組み合わせによって場合により担持される記載の化学的機能を含む光重合可能組成物である。
−  材料は、少なくとも１つの光開始剤を含んでもよい。
−  材料は、コロイド、特に、例えば可視波長よりも小さいサイズのコロイド粒子、例えば、酸化ケイ素ＳｉＯ２のコロイド粒子、又は酸化ジルコニウムＺｒＯ２のコロイド粒子を含んでもよい。
−  材料は、顔料又は染料、例えば、アゾ、又はローダミン、又はシアニン、又はポリメチン、又はメロシアニン、又はフルオレセイン、又はピリリウム、又はフタロシアニン、又はペリレン、又はベンズアントロン、又はアントラピリミジン、又はアントラピリドン群に属する染料、又は更に希土類クリプテート又はキレートなどの金属錯体染料を少なくともある特定の所定の体積要素で含んでもよい。
−  中間光学素子は、ポリカーボネート、ポリメチル、メタクリル酸塩、ポリアミドなどの他の材料から、又は次の重合体、チオウレタン重合体、炭酸アリル重合体、アクリル重合体、ウレタン重合体及び／又はエピ硫化物重合体から生成されており、これらの材料は、眼科用レンズの分野で当業者に周知である。
−  中間光学素子は、反射防止処理、汚れ防止処理、引っ掻き防止処理、衝撃防止処理、及び偏光フィルターを含む１つ又は複数の処理を少なくとも１つの面に含んでもよい。
−  上述の処理は、例えば、機能性膜の転写又は積層、又は換言すれば、接着によって生成されてもよい。
−  付加製造ホルダーは、中間光学素子を付加的に製造する製造面を有し、製造面は、少なくとも部分的に平面、及び／又は少なくとも部分的に球面である。
−  方法は、１つ又は複数の他の製造ステップ、例えば、縁取りステップ、及び／又は仮マーキングと通常呼ばれるものを形成するのに使用されるマーキングステップを更に含む。
−  付加製造方法は、付加的に製造された構造物全体を重合又は硬化させる追加の熱照射ステップを含む。
−  製造方法は、中間光学素子材料の屈折率の変動を、既知の最適化手順による反復最適化ループの目的で、考慮することができるステップを含む。
−  中間光学素子の材料は、１つ又は複数の染料、及び／又はその光透過及び／又はその外観を変更するように構成されているナノ粒子、及び／又はその機械的特性を変更するように構成されているナノ粒子又は添加剤を任意選択的に含む。
−  付加製造機は、三次元印刷機でなく、ステレオリソグラフィ機（又はステレオリソグラフィ装置用のＳＬＡ）、又は溶融付着モデリング機（又はＦＤＭ機）とも呼ばれる熱可塑性フィラメント押し出し機である。
−  少なくとも１つの命令制御ユニットは、マイクロプロセッサの代わりに、マイクロコントローラを含む。
−  クライアント−サーバ通信インターフェースは、コンピュータプログラムを実行するように構成されているシステム要素を含む少なくとも１つの命令制御ユニットで前記コンピュータプログラムを実行する場合、上述の製造方法の各ステップを実施するように構成されている指示を含むコンピュータプログラムに、決定された中間光学素子の製造設定値を転送するように構成されているデバイスを含む。
−  通信インターフェースは、インターネット以外の手段、例えば、イントラネット又は安全プライベートネットワークを介した通信を可能にする。及び／又は、
−  通信インターフェースは、付加製造機及びソフト研磨機を設けた別の製造システム、及び任意選択的に１つ又は複数の他の加工／処理機において、製造方法を実施するように、全コンピュータプログラムを遠隔データ処理システムに転送することができる。
【０２８６】
より一般的に、本発明は、説明及び図示された例に限定されないことが想起されよう。
【図１】
0006632530.tif 000002
【図２】
0006632530.tif 000003
【図３】
0006632530.tif 000004
【図４】
0006632530.tif 000005
【図５】
0006632530.tif 000006
【図６】
0006632530.tif 000007
【図７】
0006632530.tif 000008
【図８】
0006632530.tif 000009
【図９】
0006632530.tif 000010
【図１０】
0006632530.tif 000011
【図１１】
0006632530.tif 000012
【図１２】
0006632530.tif 000013